(57)【要約】【課題】  長さは異なるものの、横幅および厚さ（断面形状）がほぼ同じ２種類のカードでは、短いカード用コンタクトに長いカードが干渉するのを防止できないので、このような２種類のカードに対するカードコネクタの共用化は実現できない。【解決手段】  ２種類のカード２，３の横幅および厚さ（断面形状）ではなく、先端形状の違いによりカード幅方向に動作させるカードセレクト部材１６，１７とその動作によりカード厚さ方向に動作させるシャッター部材２０を備え、シャッター部材２０により長いカード挿入時にのみ短いカード用コンタクト６の接点を強制的に押し下げ、短いカード用のコンタクト６に長いカード３が干渉するのを防止し、長さは異なるものの、横幅および厚さがほぼ同じ２種類のカード２，３に共用できるカードコネクタ１を得る。【選択図】  図１
2006107902.tif 000002
【特許請求の範囲】
【請求項１】
横幅と厚さは略同じで長さと先端形状が異なる２種類のカードを挿入するハウジングに、短いカードの電極と接触させて電気的に接続させる第１コンタクトと長いカードの電極と接触させて電気的に接続させる第２コンタクトを、カード挿入方向に沿って手前側と奥側に前後２列に備えると共に、カード挿抜方向に摺動するイジェクト用のスライダを備えるカードコネクタにおいて、スライダをハウジングのカード挿入口に向かって開放するコ字形に形成して、スライダの内側にカードを受け入れるカード受け入れ空間を形成し、スライダの左右端部に、カード受け入れ空間に受け入れるカードの先端形状の異なりにより、短いカード挿入時は第１のスライド位置に保持し、長いカード挿入時は第１のスライド位置よりカード幅方向外側の第２のスライド位置に摺動する一対のカードセレクト部材を対向状に備えると共に、左右端部をハウジングの内底面とスライダの左右端部との間に昇降自在に臨ませて第１コンタクトの上方を横切るようにハウジングの底部に張設するシャッター部材と、シャッター部材を第１コンタクトの接点が短いカードの電極と接触する高さになる上昇位置に常時付勢する弾性体とを備え、長いカード挿入時に左右カードセレクト部材が第１のスライド位置から第２のスライド位置に摺動することで、シャッター部材の左右端部と傾斜状の摺接面を介して摺接し、シャッター部材を弾性体の付勢力に抗して下降位置に押し下げ保持し、シャッター部材が第１のコンタクトをその接点に長いカードが干渉するのを防止する高さに押し下げ保持することを特徴とするカードコネクタ。
【発明の詳細な説明】
【技術分野】
【０００１】
本発明は、メモリーカードと各種電子機器の基板を電気的に接続するためのカードコネクタの中で、サイズの異なる２種類のメモリーカードに共用できるカードコネクタに関する。
【背景技術】
【０００２】
各種カードコネクタの中で、長さの異なる２種類のカードに共用できるカードコネクタでは、これら２種類のカードが挿入可能なハウジングに、短いカード用コンタクトと長いカード用コンタクトをカード挿入方向に沿って手前側と奥側に前後２列に備えるので、次のいずれかの方法を採用して、短いカード用コンタクトに長いカードが干渉するのを防止している。一つは、短いカード用コンタクトの接点位置を可変とし、長いカード挿入時に短いカード用コンタクトの接点位置を下げる方法。一つは、ハウジング内でのカード支持高さを可変とし、長いカード挿入時にカード支持高さを短いカード用コンタクトの接点位置より高い位置に持ち上げる方法である。そして、この２つの方法はいずれもが短いカードと長いカードの断面形状（横幅や厚さ）の違いを利用するものであった。（例えば、「特許文献１」参照。）。
【特許文献１】特開２００３−２２９２０６号公報
【発明の開示】
【発明が解決しようとする課題】
【０００３】
本発明の解決しようとする課題は、例えば、ｍｉｎｉＳＤカード（横幅20mm、長さ21.5mm、厚さ1.4mm）とメモリースティックＤｕｏ（横幅20mm、長さ31mm、厚さ1.6mm）のように、長さは異なるものの横幅と厚さ（断面形状）が略同じ２種類のカードでは、短いカード用コンタクトに長いカードが干渉するのを防止できないので、このような２種類のカードに対するカードコネクタの共用化は実現できない点にある。
【課題を解決するための手段】
【０００４】
課題を解決するための本発明の手段は、横幅と厚さは略同じで長さと先端形状が異なる２種類のカードを挿入するハウジングに、短いカードの電極と接触させて電気的に接続させる第１コンタクトと長いカードの電極と接触させて電気的に接続させる第２コンタクトを、カード挿入方向に沿って手前側と奥側に前後２列に備えると共に、カード挿抜方向に摺動するイジェクト用のスライダを備えるカードコネクタにおいて、スライダをハウジングのカード挿入口に向かって開放するコ字形に形成して、スライダの内側にカードを受け入れるカード受け入れ空間を形成し、スライダの左右端部に、カード受け入れ空間に受け入れるカードの先端形状の異なりにより、短いカード挿入時は第１のスライド位置に保持し、長いカード挿入時は第１のスライド位置よりカード幅方向外側の第２のスライド位置に摺動する一対のカードセレクト部材を対向状に備えると共に、左右端部をハウジングの内底面とスライダの左右端部との間に昇降自在に臨ませて第１コンタクトの上方を横切るようにハウジングの底部に張設するシャッター部材と、シャッター部材を第１コンタクトの接点が短いカードの電極と接触する高さになる上昇位置に常時付勢する弾性体とを備え、長いカード挿入時に左右カードセレクト部材が第１のスライド位置から第２のスライド位置に摺動することで、シャッター部材の左右端部と傾斜状の摺接面を介して摺接し、シャッター部材を弾性体の付勢力に抗して下降位置に押し下げ保持し、シャッター部材が第１のコンタクトをその接点に長いカードが干渉するのを防止する高さに押し下げ保持することを特徴とする。
【発明の効果】
【０００５】
本発明によれば、長さは異なるものの、横幅および厚さがほぼ同じ２種類のカードであっても、両カードの先端形状の違いを利用して、カードセレクト部材を動作させることで、短いカード用の第１コンタクトに長いカードが干渉するのを防止できるので、このような２種類のカードに共用できるカードコネクタを得ることができた。
【発明を実施するための最良の形態】
【０００６】
以下、本発明の実施の形態を図面に基づいて説明する。図１は本発明の実施の形態に係るカードコネクタのカバーを取り外した状態の外観斜視図、図２は図１のカードコネクタの平面図である。このコネクタ１は横幅と厚さ（断面形状）が略同じで長さと先端形状が異なる２種類のメモリーカードに共用するもので、図３〜図６に一方のメモリーカードである短いカード２の使用状態を示し、図７〜図１０に他方のメモリーカードである長いカード３の使用状態を示す。また、図３〜図６には短いカード２の一例として、正規挿入姿勢で先端左側角部が直角な２面で略矩形状に角落としされ、かつ、先端右側もその上角部のみが直角な２面で角落としされているｍｉｎｉＳＤカード（横幅20mm、長さ21.5mm、厚さ1.4mm）を示し、図７〜図１０には正規挿入姿勢で先端左側角部が外膨らみの円弧面で略三角形状に角落としされている長いカード３の一例として、メモリースティックＤｕｏ（横幅20mm、長さ31mm、厚さ1.6mm）を示す。従って、短いカード２の先端部はその左側の角落とし部２ａにより横幅が小さくなるが、長いカード３の先端部はその左側に角落とし部３ａがあっても短いカード２のように横幅は小さくなっていない。
【０００７】
図１，図２に示す如く、ボディ４は合成樹脂等の絶縁材料からなり底板４ａ、左右側壁４ｂ，４ｃ及び後側壁４ｄを有し、板金製（導電性）で天板及び左右側板を有する図示しないカバーとでコネクタ１の薄い矩形箱状のハウジングを構成する。また、ハウジングの前側面となるボディ４の前側面は左右側端部に横幅の狭い前側壁４ｅ，４ｆを残して開口され、横幅が両カード２，３の横幅より僅かに大きく、高さが長いカード３の厚さより僅かに大きいカード挿入口であって、短いカード２と長いカード３のいずれか１枚が挿入できるスロット５に構成されている。スロット５はボディ底板４ａより所定寸法だけ高い位置に開口形成されている。
【０００８】
図１〜図１０に示す如く、スロット５の内部、すなわち、ハウジングの内部となるボディ４の内側には短いカード用の複数の第１コンタクト６と長いカード用の複数の第２コンタクト７を、カード挿抜方向に沿って手前側と奥側に前後２列に備えている。両コンタクト６，７は細長い導電性の金属端子からなり、第１コンタクト６は前半部を図示したようにインサート成形又は図示しないコンタクト取り付け溝への圧入等によりボディ底板４ａの前端部に一体に取り付け、後半部を上下に弾性変位可能に後上がり傾斜状にボディ底板４ａの前部上面側に突出させ、ボディ４の内側前部に横並び状態で配備し、後端に短いカード２の先端部下面側に横並び状態で配備されている図示しない複数の電極それぞれに接触させて電気的に接続させるための接点６ａを形成している。また、前端はボディ底板４ａの前端に形成した切り欠き部８からボディ４の外底面に略面一状態で露出させ、基板のパターンに半田付けにより電気的に接続するための表面実装用の外部接点６ｂに形成している。他方、第２コンタクト７は後半部を図示したようにインサート成形又は図示しないコンタクト取り付け溝への圧入等によりボディ底板４ａの後端部に一体に取り付け、前半部を上下に弾性変位可能に前上がり傾斜状にボディ底板４ａの後部上面側に突出させ、ボディ４の内側後部に横並び状態で配備し、前端に長いカード３の先端部下面側に横並び状態で配備されている図示しない複数の電極それぞれに接触させて電気的に接続させるための接点７ａを形成している。また、後端はボディ底板４ａの後端からボディ４の外側にこの外底面と略面一状態で露出させ、基板のパターンに半田付けにより電気的に接続するための表面実装用の外部接点７ｂに形成している。さらに、第１コンタクト６と第２コンタクト７は自由状態で各接点６ａ，７ａの高さ位置が略同じになるように形成されている。
【０００９】
前記ボディ４の内側にはプッシュイン／プッシュアウト型のカードイジェクト機構９を備えている。イジェクト機構９はスライダ１０、イジェクトバネ１１、ロック機構１２から構成されている。
【００１０】
前記スライダ１０は合成樹脂材料からなり前方に向かって開放するコ字形に形成し、左右側片１０ａ，１０ｂ及び後側片１０ｃにより囲うカード受け入れ空間１０ｄを有し、ボディ４の内側にカード挿抜方向（前後方向）に摺動自在に嵌合させ、スロット５に挿入された１枚の短いカード２又は長いカード３をカード受け入れ空間１０ｄに受け入れるボルダ型に構成している。また、カード受け入れ空間１０ｄの後半底部にはスロット５の下縁高さと略同じ高さのカード支持底面１０ｅが一体に形成されており、このカード支持底面１０ｅの後端から直角に立ち上がる後側片１０ｃの内面が長いカード３の挿入時にその挿入端面を受け止める係合面１０ｆになる。さらに、第２コンタクト７の前半部にスライダ１０が干渉するのを防止するためにスライダ１０には後側片１０ｃを貫通してカード支持底面１０ｅの前端部近傍まで延びる複数のコンタクト挿通孔１０ｇが横並び状態で形成されている。
【００１１】
前記イジェクトバネ１１はボディ４とスライダ１０の間に入れる圧縮コイルバネからなり、スライダ１０を常時イジェクト方向（前方）に付勢している。また、ボディ後側壁４ｄの一側端部からはイジェクトバネ１１を外周面で支持するためのバネ伸縮ガイド４ｇが前方に向けて突設され、スライダ１０の一側の側片１０ａの後部中心部にはイジェクトバネ１１とバネ伸縮ガイド４ｇの全長を収容するための底付き筒状の図示しないバネ受け部が形成されており、イジェクトバネ１１をボディ後側壁４ｄとバネ受け部底面の間で伸縮させることで、スライダ１０を左右側片１０ａ，１０ｂの前端がボディ左右前側壁４ｅ，４ｆに突き当たるイジェクト位置（図１，図２，図３，図５，図７，図９に示す位置）と後側片１０ｃがボディ後側壁４ｄに突き当たる最押し込み位置の間で摺動させるように構成している。
【００１２】
前記ロック機構１２はスライダ１０の他側の側片１０ｂの後部上面に形成するカム溝１３と、両端部を一方向に直角に折曲げた細長い金属棒からなり後端折曲げ部をこの軸回りに回動自在にボディ後側壁４ｄの他側端部に形成された軸受け部４ｈに嵌合支持し、前端折曲げ部をカム溝１３に摺動自在に嵌入するカムピン１４とで構成されている。前記カム溝１３は後端頂部の起点部１３ａと前端中央窪み部の係止部１３ｃとを往路１３ｂ及び復路１３ｄによりつなぐハート形に形成されており、スライダ１０のイジェクト位置から最押し込み位置の間の摺動を許容し、かつ、スライダ１０をイジェクト位置から最押し込み位置に押し込むプッシュイン動作により係止部１３ｃにカムピン１４の前端折曲げ部を係止させることで、スライダ１０を短いカード２と長いカード３に共通のカード装着位置（図６，図１０に示す位置）にロック（スライダ１０の前方への摺動を規制する。）すると共に、スライダ１０をカード装着位置から最押し込み位置に押し込むプッシュアウト動作により係止部１３ｃからカムピン１４の前端折曲げ部を離脱させることで、スライダ１０をイジェクト位置に復帰させるように構成している。
【００１３】
前記ボディ４の内側にはカードセレクト機構１５を備えている。カードセレクト機構１５は左右一対のカードセレクト部材１６，１７、復帰バネ１８，１９から構成されている。
【００１４】
左右カードセレクト部材１６，１７は合成樹脂材料からなりスライダ１０における左右側片１０ａ，１０ｂの前部にカード受け入れ空間１０ｄを挟んで対向状に形成された左右収容溝１０ｈ，１０ｉにカード幅方向に摺動自在に嵌合させ、スライダ１０における左右側片１０ａ，１０ｂの前部にカード受け入れ空間１０ｄを挟んで対向状に備えている。また、左右カードセレクト部材１６，１７は段付き状に形成され、幅の広い外側部と収容溝１０ｈ，１０ｉの溝底との間に入れる復帰バネ１８，１９によりスライダ１０の内側に向かって常時付勢され、左右カードセレクト部材１６，１７の段差面が収容溝１０ｈ，１０ｉのカード受け入れ空間１０ｄに対する開口縁に形成されたストッパーに突き当たり、幅の狭い内側部が収容溝１０ｈ，１０ｉからカード受け入れ空間１０ｄにおけるカード受け入れ口部の左右両側部に対向状に突出する第１のスライド位置（図１〜図６に示す位置）と幅の狭い内側部がカード受け入れ空間１０ｄから収容溝１０ｈ，１０ｉに退入する第２のスライド位置（図７〜図１０に示す位置）の間でカード幅方向に摺動させるように構成している。図１〜図１０ではコイルバネからなる復帰バネ１８，１９を示しているが、これは板バネでもよい。
【００１５】
さらに、左カードセレクト部材１６は第１のスライド位置でカード受け入れ空間１０ｄに突出する内側部がスロット５からカード受け入れ空間１０ｄに正規挿入姿勢で挿入された短いカード２の先端部左側の角落とし領域にのみ嵌合し、正規挿入姿勢で挿入された長いカード３の先端部左側の角落とし領域には嵌合しない形状に形成されると共に、その内側面には短いカード２に上方から係合する下向きの係合面１６ａと短いカード２の先端部左側の角落とし部２ａの段差面を受け止める前向きの係合面１６ｂが設けられている。右カードセレクト部材１７は第１のスライド位置でカード受け入れ空間１０ｄに突出する内側部がスロット５からカード受け入れ空間１０ｄに正規挿入姿勢で挿入された短いカード２の先端部右側の角落とし領域に嵌合する形状に形成され、その内側部下面が短いカード２に上方から係合する下向きの係合面１７ａになり、内側部後面が短いカード２の先端部右側の角落とし部２ｂの段差面を受け止める前向きの係合面１７ｂになる。そして、短いカード２を挿入時にその先端部左右側の角落とし領域に対する左右カードセレクト部材１６，１７の嵌合によりそれらを第１のスライド位置に保持し、長いカード３を挿入時には短いカード２とは先端形状が異なり左右カードセレクト部材１６，１７が嵌合可能な角落とし領域が存在しないので、その長いカード３の横幅により左右カードセレクト部材１６，１７をそれぞれ第１のスライド位置から第２のスライド位置へ摺動させるように構成している。
【００１６】
前記ボディ４の内側には第１コンタクト６の接点６ａの高さ位置を可変にするためのシャッター部材２０と弾性体２１を備えている。
【００１７】
前記シャッター部材２０は合成樹脂材料からなり左右端部をスライダ１０の左右側片１０ａ，１０ｂの前部底面に形成された底溝１０ｊ，１０ｋを介してボディ底板４ａとスライダ１０の左右端部との間に昇降自在に臨ませて各第１コンタクト６の前半部上方を横切るようにボディ４の内側前部の底部に張設する平板状に形成されており、各第１コンタクト６の後半中間部に対向する後端部下面にその各第１コンタクト６の後半中間部を押し下げるための後上がり傾斜状のコンタクト押し下げ面２０ａを横並び状態で設けている。また、シャッター部材２０は左右端部を係止溝２０ｂ，２０ｃを介してボディ底板４ａから上向きに突出形成された昇降ガイド４ｉ，４ｊに係止させ、ボディ底板４ａに沿う水平方向の移動を規制し、上下方向の移動のみを許容した状態でボディ４の内側前部の底部に張設している。底溝１０ｊ，１０ｋはスライダ１０のイジェクト位置から最押し込み位置の間の摺動を許容する範囲に形成されると共に、シャッター部材２０のカード挿抜方向の長さはスライダ１０が最押し込み位置に摺動してもその左右側片１０ａ，１０ｂがシャッター部材２０の左右端部に重合する長さに形成されている。
【００１８】
前記弾性体２１はシャッター部材２０とボディ底板４ａとの間に入れる例えば図４，図８に示す圧縮コイルバネや図５，図９に示す板バネからなり、左右２個の弾性体２１によりシャッター部材２０の左右端部を常時上方に付勢し、シャッター部材２０を上昇動作させるように構成している。シャッター部材２０は左右端部上面がスライダ１０の底溝１０ｊ，１０ｋの天面に突き当たる最上昇位置（図４，図５に示す位置）に上昇すると、その中間部上面がスロット５の下縁及びスライダ１０のカード支持底面１０ｅと略同じ高さになり、スロット５の下縁からスライダ１０におけるカード受け入れ空間１０ｄの前半底部にわたって後半底部のカード支持底面１０ｅと略同じ高さのカード支持底面を形成すると共に、コンタクト押し下げ面２０ａによる各第１コンタクト６の後半中間部の押し下げが解除され、各第１コンタクト６の後半部が略自由状態に復帰し、後端の接点６ａがスライダ１０のカード受け入れ空間１０ｄにおける前半底部のカード支持底面（シャッター部材２０の左右中間部上面）と後半底部のカード支持底面１０ｅの間からカード受け入れ空間１０ｄに突出して、短いカード２の電極と接触可能な高さになる。
【００１９】
そして、前記左右カードセレクト部材１６，１７とシャッター部材２０には左右カードセレクト部材１６，１７における第１のスライド位置から第２のスライド位置へのカード幅方向の直線運動をカード厚さ方向で下向きの直線運動に変換してシャッター部材２０の左右端部に与えるための平面カムである傾斜状の摺接面２２ａ，２２ｂを備えている。
【００２０】
一方の摺接面２２ａは左右カードセレクト部材１６，１７の外側面と下面が作る角部を斜めに角落としすることで、その左右カードセレクト部材１６，１７の外側端部下面に形成されている。他方の摺接面２２ｂはシャッター部材２０の左右端部に該部を部分的に上方に膨出させるように形成された肉厚部２０ｄ，２０ｅの上面と内側面が作る角部を一方の摺接面２２ａと同じ向きで同じ傾斜角で斜めに角落としすることで、そのシャッター部材２０の左右肉厚部２０ｄ，２０ｅの上面内側端部に形成されている。また、前記収容溝１０ｈ，１０ｉの奥部はその下側に形成されている底溝１０ｊ，１０ｋに連通孔１０ｍ，１０ｎを介して連通されており、シャッター部材２０が最上昇位置に上昇すると、左右肉厚部２０ｄ，２０ｅの上部が連通孔１０ｍ，１０ｎから収容溝１０ｈ，１０ｉの奥部に突出し、左右カードセレクト部材１６，１７の第１のスライド位置から第２のスライド位置への摺動に伴って一方の摺接面２２ａが他方の摺接面２２ｂに摺接する。これにより、シャッター部材２０を下降動作させるように構成している。左右カードセレクト部材１６，１７は第２のスライド位置で左右肉厚部２０ｄ，２０ｅに乗り上がりシャッター部材２０をこの下面がボディ底板４ａに当接する最下降位置（図８，図９に示す位置）に押し下げ保持する。シャッター部材２０は最下降位置に下降すると、その中間部上面はスロット５の下縁及びスライダ１０のカード支持底面１０ｅより低くなると共に、コンタクト押し下げ面２０ａが各第１コンタクト６の後半中間部を強制的に押し下げ、後端の接点６ａをスロット５の下縁及びスライダ１０のカード支持底面１０ｅより低く、長いカード３が干渉するのを防止する高さに強制的に押し下げる。
【００２１】
また、底溝１０ｊ，１０ｋは最上昇位置に上昇したシャッター部材２０に対してもスライダ１０が肉厚部２０ｄ，２０ｅと干渉することなくイジェクト位置から最押し込み位置の間で摺動できるように形成されると共に、摺接面２２ａ，２２ｂのカード挿抜方向の長さはスライダ１０が最押し込み位置に摺動しても一方の摺接面２２ａの前部と他方の摺接面２２ｂの後部が摺接する長さに形成されている。
【００２２】
スライダ１０のカード受け入れ空間１０ｄを挟んで対向する左右カードセレクト部材１６，１７の内側面前部の角部には該部を斜めに角落としすることによりカード挿入ガイド面１６ｃ，１７ｃに形成している。
【００２３】
次に、上記カードコネクタ１の動作を説明する。図１，図２に示す如く、コネクタ１はカード未挿入時、カードイジェクト機構９はスライダ１０がイジェクトバネ１１の付勢力によりイジェクト位置に保持され、スロット５にカード受け入れ空間１０ｄを連通接続させると共に、カム溝１３の起点部１３ａにカムピン１４の前端折曲げ部が嵌入されたイジェクト状態になっている。また、カードセレクト機構１５は左右カードセレクト部材１６，１７がそれぞれ復帰バネ１８，１９の付勢力により第１のスライド位置に保持され、左右カードセレクト部材１６，１７の内側部が収容溝１０ｈ，１０ｉからカード受け入れ空間１０ｄにおけるカード受け入れ口部の左右側部に対向状に突出した状態になっている。従って、図５にも示す如く、シャッター部材２０は弾性体２１の付勢力により最上昇位置に上昇保持され、これに伴ってコンタクト押し下げ面２０ａによる各第１コンタクト６の後半中間部の押し下げが解除され、各第１コンタクト６の接点６ａは各第２コンタクト７の接点７ａと略同じ高さでスライダ１０のカード受け入れ空間１０ｄにおける前半底部のカード支持底面と後半底部のカード支持底面１０ｅの間からカード受け入れ空間１０ｄに突出する。
【００２４】
そして、図３，図４に示す如く、短いカード２が正規挿入姿勢でスロット５に挿入された場合、左右カードセレクト部材１６，１７の内側部がカード２の先端部左右側の角落とし領域に嵌合するので、スライダ１０と左右カードセレクト部材１６，１７の相対位置はそのままで、すなわち、左右カードセレクト部材１６，１７を第１のスライド位置に保持したままで、カード２の先端部がスライダ１０におけるカード受け入れ空間１０ｄのカード受け入れ口部に嵌り込む。これにより、カード２は左右カードセレクト部材１６，１７の下向きの係合面１６ａ，１７ａによりカード２の下面がスロット５の下縁及びシャッター部材１０に摺接する高さに規制されると共に、左右カードセレクト部材１６，１７の前向きの係合面１６ｂ，１７ｂによりスライダ１０のカード受け入れ空間１０ｄに対する左右カードセレクト部材１６，１７より奥側への挿入が規制され、このカード２によるカードイジェクト機構９のプッシュイン／プッシュアウト動作を可能にする。すなわち、図３，図４に示す状態からカード２を押し込むと、カードセレクト部材１６，１７の前向きの係合面１６ｂ，１７ｂがカード２により後方へ押圧され、スライダ１０と左右カードセレクト部材１６，１７が一体に左右カードセレクト部材１６，１７を介してカード２の押し込みに追従移動し、イジェクトバネ１１の付勢力に抗してイジェクト位置からボディ４の奥側へと押し込まれ、スライダ１０の後側片１０ｃがボディ後側壁４ｄに突き当たる最押し込み位置へと移動する。この時点で、カード２の押し込みを解除すると、スライダ１０と左右カードセレクト部材１６，１７は一体にイジェクトバネ１１の付勢力により最押し込み位置からイジェクト方向へ押し戻される。このスライダ１０のイジェクト位置からの一連の動作によりカムピン１４の前端折曲げ部がカム溝１３の起点部１３ａから往路１３ｂを経て係止部１３ｃに導入係止され、図６に示す如く、スライダ１０のイジェクト方向への移動が最押し込み位置より少し手前のカード装着位置で規制され、ボディ４に対してスライダ１０がカード装着位置にてロックされる。これにより、スライダ１０のカード受け入れ空間１０ｄの前半部に嵌め込まれているカード２の先端部下面の各電極が各第１コンタクト６の接点６ａに乗り上がって接触して電気的に接続され、カード装着状態となる。
【００２５】
また、カード装着状態でカード２の押し込みを行うことにより、前記係合面１６ｂ，１７ｂがカード２により後方へ押圧され、スライダ１０と左右カードセレクト部材１６，１７は一体にイジェクトバネ１１の付勢力に抗してカード装着位置から再び最押し込み位置へと移動する。この動作によりカムピン１４の前端折り曲げ部がカム溝１３の係止部１３ｃから離脱して復路１３ｄに導入され、スライダ１０のイジェクト方向への移動規制が解除される（スライダ１０のロックが解除される）。この時点で、カード２の押し込みを解除することにより、スライダ１０と左右カードセレクト部材１６，１７は一体にイジェクトバネ１１の付勢力により最押し込み位置からイジェクト方向へ押し戻され、イジェクト位置へと復帰し、図３に示す如く、カード２がイジェクトされてスロット５のイジェクト位置で保持される。スロット５のイジェクト位置にイジェクトされたカード２はスロット５から突出している端部を指で摘んで引抜くことによりスロット５から抜去ることができ、図１に示す如く、コネクタ１はカード未挿入状態になる。
【００２６】
一方、図７，図８に示す如く、長いカード３の先端部左側の角落とし部３ａは短いカード２の先端部左側の角落とし部２ａのようにカード先端部の横幅を小さくする形状ではなく、左カードセレクト部材１６の内側部はカード３の先端部左側の角落とし領域には嵌合しない。また、長いカード３は短いカード２のように先端部の右側上縁角部は角落としされておらず、右カードセレクタ部材１７の内側部が嵌合する角落とし領域も存在しないので、長いカード３が正規挿入姿勢でスロット５に挿入された場合、その長いカード３の先端部はカードセレクト部材１６，１７をカード幅によりそれぞれ外側に押し退けて、スライダ１０におけるカード受け入れ空間１０ｄのカード受け入れ口部に嵌り込む。このとき、カードセレクト部材１６，１７がそれぞれ復帰バネ１８，１９の付勢力に抗して第１のスライド位置から第２のスライド位置へと移動する。左右カードセレクト部材１６，１７は第１のスライド位置から第２のスライド位置への摺動に伴って摺接面２２ａ，２２ｂを介してシャッター部材２０の左右肉厚部２０ｄ，２０ｅを押し下げながらその上に乗り上がり、シャッター部材２０を弾性体２１の付勢力に抗して押し下げて最下降位置に保持する。これにより、図９に示す如く、シッター部材２０のコンタクト押し下げ面２０ａが各第１コンタクト６の後半中間部を強制的に押し下げ、後端の接点６ａをスロット５の下縁及びスライダ１０のカード支持底面１０ｅより低く、長いカード３が干渉するのを防止する高さに強制的に押し下げるので、カード３は第１コンタクト６の接点６ａに干渉することなくこの上方を通過し、カード受け入れ空間１０ｄの後半底部に形成されているカード支持底面１０ｅに乗り上がり、最終的にカード３の挿入端面がスライダ１０における後側片１０ｃの前向きの係合面１０ｆに突き当たるカード受け入れ空間１０ｄの最奥まで挿入され、このカード３によるカードイジェクト機構９のプッシュイン／プッシュアウト動作を可能にする。すなわち、図７に示す状態からカード３を押し込むと、スライダ１０における後側片１０ｃの前向きの係合面１０ｆがカード３の挿入端部で後方へ押圧され、スライダ１０と左右カードセレクト部材１６，１７が一体にカード３の押し込みに追従移動し、イジェクトバネ１１の付勢力に抗してイジェクト位置からボディ４の奥側へと押し込まれ、スライダ１０の後側片１０ｃがボディ後側壁４ｄに突き当たる最押し込み位置へと移動する。この時点で、カード３の押し込みを解除すると、スライダ１０と左右カードセレクト部材１６，１７は一体にイジェクトバネ１１の付勢力により最押し込み位置からイジェクト方向へ押し戻される。このスライダ１０のイジェクト位置からの一連の動作によりカムピン１４の前端折曲げ部がカム溝１３の起点部１３ａから往路１３ｂを経て係止部１３ｃに導入係止され、図１０に示す如く、スライダ１０のイジェクト方向への移動が最押し込み位置より少し手前のカード装着位置で規制され、ボディ４に対してスライダ１０がカード装着位置にてロックされる。スライダ１０がカード装着位置にロックされると、そのカード受け入れ空間１０ｄの後半部に第２コンタクト７がコンタクト挿通孔１０ｇを介して収容され、第２コンタクト７の前半部がカード支持底面１０ｅから上方に突出する。これにより、スライダ１０のカード受け入れ空間１０ｄの最奥まで嵌め込まれているカード３の先端部下面の各電極が各第２コンタクト７の接点７ａに乗り上がって接触して電気的に接続され、カード装着状態となる。
【００２７】
また、カード装着状態でカード３の押し込みを行うことにより、前記係合面１０ｆがカード３の挿入端部で後方へ押圧され、スライダ１０と左右カードセレクト部材１６，１７は一体にイジェクトバネ１１の付勢力に抗してカード装着位置から再び最押し込み位置へと移動する。この動作によりカムピン１４の前端折り曲げ部がカム溝１３の係止部１３ｃから離脱して復路１３ｄに導入され、スライダ１０のイジェクト方向への移動規制が解除される（スライダ１０のロックが解除される）。この時点で、カード３の押し込みを解除することにより、スライダ１０と左右カードセレクト部材１６，１７は一体にイジェクトバネ１１の付勢力により最押し込み位置からイジェクト方向へ押し戻され、イジェクト位置へと復帰し、図７に示す如く、カード３がイジェクトされてスロット５のイジェクト位置で保持される。スロット５のイジェクト位置にイジェクトされたカード３はスロット５から突出している端部を指で摘んで引抜くことによりスロット５から抜去ることができ、このカード３の抜去により、図１，図２に示す如く、コネクタ１は左右カードセレクト部材１６，１７がそれぞれ復帰バネ１８，１９の付勢力により第２のスライド位置から第１のスライド位置へと復帰し、これに伴ってシャッター部材２０が弾性体２１の付勢力により最下降位置から最上昇位置へと復帰し、カード未挿入状態になる。
【００２８】
以上のように、横幅と厚さは略同じで長さと先端形状が異なる２種類のカード２，３を挿入するハウジング４に、短いカード２の電極と接触させて電気的に接続させる第１コンタクト６と長いカード３の電極と接触させて電気的に接続させる第２コンタクト７を、カード挿入方向に沿って手前側と奥側に前後２列に備えると共に、カード挿抜方向に摺動するイジェクト用のスライダ１０を備えるカードコネクタにおいて、スライダ１０をハウジング４のカード挿入口５に向かって開放するコ字形に形成して、スライダ１０の内側にカード２，３を受け入れるカード受け入れ空間１０ｄを形成し、スライダ１０の左右端部に、カード受け入れ空間１０ｄに受け入れるカード２，３の先端形状の異なりにより、短いカード挿入時は第１のスライド位置に保持し、長いカード挿入時は第１のスライド位置よりカード幅方向外側の第２のスライド位置に摺動する一対のカードセレクト部材１６，１７を対向状に備えると共に、左右端部をハウジング４の内底面とスライダ１０の左右端部との間に昇降自在に臨ませて第１コンタクト６の上方を横切るようにハウジング４の底部に張設するシャッター部材２０と、シャッター部材２０を第１コンタクト６の接点６ａが短いカード２の電極と接触する高さになる上昇位置に常時付勢する弾性体２１とを備え、長いカード挿入時に左右カードセレクト部材１６，１７が第１のスライド位置から第２のスライド位置に摺動することで、シャッター部材２０の左右端部と傾斜状の摺接面２ａ，２２ｂを介して摺接し、シャッター部材２０を弾性体２１の付勢力に抗して下降位置に押し下げ保持し、シャッター部材２０が第１のコンタクト６をその接点６ａに長いカード３が干渉するのを防止する高さに押し下げ保持することで、長さは異なるものの、横幅および厚さがほぼ同じ２種類のカード２，３であっても、両カード２，３の先端形状の違いを利用して、カードセレクト部材１６，１７を動作させることで、短いカード用の第１コンタクト６に長いカード３が干渉するのを防止できるので、このような２種類のカード２，３に共用できるカードコネクタ１を得ることができる。
【００２９】
また、スライダ１０に、短いカード２を受け止めてスライダ１０を押し込む係合面１６ｂ，１７ｂと長いカード３を受け止めてスライダ１０を押し込む係合面１０ｆを、カード挿入方向に沿って手前側と奥側に前後に備え、ハウジング４に、短いカード用の第１コンタクト６と長いカード用の第２コンタクト７を、カード挿入方向に沿って手前側と奥側に前後２列に備えるカードコネクタ１であっても、両カード２，３をスライダ１０の同じ移動ストロークでそれぞれのカード装着位置に保持できるようにしているので、２種類のカード２，３に共用できるカードコネクタ１のプッシュイン／プッシュアウト型のイジェクト機構９を簡潔に構成できると共に、両カード２，３を同じ押し込み力でプッシュイン／プッシュアウトでき、品質向上を図ることができる。
【図面の簡単な説明】
【００３０】
【図１】本発明の実施の形態に係るカードコネクタのカバーを取り外した状態の外観斜視図である。
【図２】図１のカードコネクタの平面図である。
【図３】図１のカードコネクタに短いカードを挿入した状態の平面図である。
【図４】図３のカードセレクト部の断面正面図である。
【図５】シャッター部材が上昇した状態を示す断面側面図である。
【図６】図３のカードコネクタが短いカードをカード装着位置にロックした状態の平面図である。
【図７】図１のカードコネクタに長いカードを挿入した状態の平面図である。
【図８】図７のカードセレクト部の断面正面図である。
【図９】シャッター部材が下降した状態を示す断面側面図である。
【図１０】図７のカードコネクタが長いカードをカード装着位置にロックした状態の平面図である。
【符号の説明】
【００３１】
１      カードコネクタ
２      短いカード
２ａ    角落とし部
２ｂ    角落とし部
３      長いカード
３ａ    角落とし部
４      ボディ（ハウジング）
５      スロット
６      第１コンタクト
６ａ    接点
７      第２コンタクト
７ａ    接点
９      カードイジェクト機構
１０    スライダ
１０ｄ  カード受け入れ空間
１６    左カードセレクト部材
１７    右カードセレクト部材
１８    復帰バネ
１９    復帰バネ
２０    シャッター部材
２１    弾性体
２２ａ  摺接面
２２ｂ  摺接面
【図１】
2006107902.tif 000003
【図２】
2006107902.tif 000004
【図３】
2006107902.tif 000005
【図４】
2006107902.tif 000006
【図５】
2006107902.tif 000007
【図６】
2006107902.tif 000008
【図７】
2006107902.tif 000009
【図８】
2006107902.tif 000010
【図９】
2006107902.tif 000011
【図１０】
2006107902.tif 000012